(57)【要約】【課題】位置ズレを吸収して一括接続を容易に行うことが可能な、コネクタの一括接続構造を提供する。また、ガイドフレーム、回路体保持状態ガイドフレーム、及びコネクタの一括接続方法を提供する。【解決手段】コネクタの一括接続構造は、回路体保持部２９とコネクタ押出部３０とを設けたガイドフレーム１７を用いて複数の回路体側コネクタ２０を複数の機器側コネクタ４に一括接続する構造である。回路体保持部２９は、コネクタ並び方向の位置ズレを吸収しつつ回路体１９の端末を保持し、コネクタ押出部３０は、コネクタ接続方向に沿って回路体側コネクタ２０に弾性的に当接する。【選択図】図１
2016103462.tif 000002
【特許請求の範囲】
【請求項１】
回路体の複数の端末にそれぞれ設けられ且つ複数の機器側コネクタの並びに合わせて配置される複数の回路体側コネクタを、コネクタ並び方向にのびるガイドフレームを用いて前記複数の機器側コネクタに一括接続する、コネクタの一括接続構造において、
前記ガイドフレームには、前記回路体を保持する回路体保持部と、前記回路体側コネクタのコネクタ側当接部に当接するコネクタ押出部とを形成し、
前記回路体保持部には、前記回路体を載置するための回路体載置面と、該回路体載置面から突出し且つ前記コネクタ並び方向に前記回路体とのクリアランスを確保して配置される保持用の突出部とを形成し、
前記コネクタ押出部には、コネクタ接続方向に弾性を有する弾性部と、該弾性部よりも前記回路体側コネクタに近い側に配置され且つ前記コネクタ側当接部への当接が前記コネクタ並び方向に確保される押出側当接部とを形成する
ことを特徴とするコネクタの一括接続構造。
【請求項２】
請求項１に記載のコネクタの一括接続構造において、
前記突出部には、所定の間隔をあけて前記回路体載置面に対向する載置面対向部と、前記回路体を差し込み可能に開口する回路体差し込み部とを形成する
ことを特徴とするコネクタの一括接続構造。
【請求項３】
請求項１又は２に記載のコネクタの一括接続構造において、
前記回路体における一つの前記端末に対し前記回路体保持部を少なくとも二つ形成するとともに、該二つの回路体保持部を千鳥状に配置する
ことを特徴とするコネクタの一括接続構造。
【請求項４】
請求項１、２又は３に記載のコネクタの一括接続構造において、
前記回路体側コネクタのコネクタ嵌合開始部分には、コネクタ案内用のテーパを形成する
ことを特徴とするコネクタの一括接続構造。
【請求項５】
請求項３又は４に記載のコネクタの一括接続構造において、
前記二つの回路体保持部のうち前記回路体側コネクタに一番近い回路体保持部を前記ガイドフレームの縁部の位置に合わせて配置するとともに、前記一番近い回路体保持部から前記コネクタ接続方向に沿って前記コネクタ押出部を突設する
ことを特徴とするコネクタの一括接続構造。
【請求項６】
請求項１、２、３又は４に記載のコネクタの一括接続構造において、
前記回路体載置面の反対側の面又は前記ガイドフレームの縁部から前記コネクタ接続方向に沿って前記コネクタ押出部を突設する
ことを特徴とするコネクタの一括接続構造。
【請求項７】
請求項１、２、３、４、５又は６に記載のコネクタの一括接続構造において、
前記回路体として扁平形状に形成された扁平接続部材を用いる
ことを特徴とするコネクタの一括接続構造。
【請求項８】
請求項７に記載のコネクタの一括接続構造において、
前記回路体の前記端末には、該端末自体を少なくとも前記コネクタ並び方向に変位可能とする位置ズレ吸収部を形成する
ことを特徴とするコネクタの一括接続構造。
【請求項９】
回路体の複数の端末にそれぞれ設けられる複数の回路体側コネクタを、複数の機器側コネクタに一括接続するために用いる樹脂製のガイドフレームにおいて、
当該ガイドフレームをコネクタ並び方向にのびる形状に形成するとともに、前記回路体を保持する回路体保持部と、前記回路体側コネクタのコネクタ側当接部に当接するコネクタ押出部とを形成し、
さらに、前記回路体保持部には、前記回路体を載置するための回路体載置面と、該回路体載置面から突出し且つ前記コネクタ並び方向に前記回路体とのクリアランスを確保して配置される保持用の突出部とを形成し、
前記コネクタ押出部には、コネクタ接続方向に弾性を有する弾性部と、該弾性部よりも前記回路体側コネクタに近い側に配置され且つ前記コネクタ側当接部への当接が前記コネクタ並び方向に確保される押出側当接部とを形成する
ことを特徴とするガイドフレーム。
【請求項１０】
回路体の複数の端末にそれぞれ設けられる複数の回路体側コネクタを、複数の機器側コネクタに一括接続するため、請求項９に記載のガイドフレームに前記回路体を保持してなる
ことを特徴とする回路体保持状態ガイドフレーム。
【請求項１１】
請求項１０に記載の回路体保持状態ガイドフレームにすることにより、複数の回路体側コネクタの配置を複数の機器側コネクタの並びに合わせる第一工程と、
前記回路体保持状態ガイドフレームを、コネクタ接続方向に移動させて前記複数の回路体側コネクタを前記複数の機器側コネクタに一括接続する第二工程と、
接続後に前記回路体保持状態ガイドフレームからガイドフレームを取り外す第三工程とを含む
ことを特徴とするコネクタの一括接続方法。
【発明の詳細な説明】
【技術分野】
【０００１】
本発明は、ガイドフレームを用いて複数の回路体側コネクタを複数の機器側コネクタに一括して接続する、コネクタの一括接続構造に関する。また、ガイドフレーム、回路体保持状態ガイドフレーム、及びコネクタの一括接続方法に関する。
【背景技術】
【０００２】
例えば、自動車のトランスミッションには、電子機器としてのソレノイドバルブが複数設けられる。ソレノイドバルブは、この内部に電子部品を有し、外部には機器側コネクタが設けられる。機器側コネクタに対する電気的な接続は、この機器側コネクタに回路体側コネクタを嵌合させて行う。回路体側コネクタは、複数本の電線の端末に設けられる。
【０００３】
下記特許文献１では、複数の機器側コネクタと複数の回路体側コネクタとの電気的接続が一括して行われる。一括接続の際には、ガイドフレームが用いられる。このガイドフレームは、略長方形の枠状に形成されたものである。ガイドフレームには、複数の回路体側コネクタの位置を固定する部分が形成される。
【先行技術文献】
【特許文献】
【０００４】
【特許文献１】特開２０１０−２６７４８８号公報
【発明の概要】
【発明が解決しようとする課題】
【０００５】
上記従来技術にあっては、複数の回路体側コネクタの位置がガイドフレームにより固定されることから、例えば複数の機器側コネクタに製造上の位置ズレが生じた場合、一括接続が困難になってしまうという問題点を有する。
【０００６】
本発明は、上記した事情に鑑みてなされたもので、位置ズレを吸収して一括接続を容易に行うことが可能なコネクタの一括接続構造を提供することを課題とする。また、ガイドフレーム、回路体保持状態ガイドフレーム、及びコネクタの一括接続方法を提供することも課題とする。
【課題を解決するための手段】
【０００７】
上記課題を解決するためになされた請求項１に記載の本発明のコネクタの一括接続構造は、回路体の複数の端末にそれぞれ設けられ且つ複数の機器側コネクタの並びに合わせて配置される複数の回路体側コネクタを、コネクタ並び方向にのびるガイドフレームを用いて前記複数の機器側コネクタに一括接続する、コネクタの一括接続構造において、前記ガイドフレームには、前記回路体を保持する回路体保持部と、前記回路体側コネクタのコネクタ側当接部に当接するコネクタ押出部とを形成し、前記回路体保持部には、前記回路体を載置するための回路体載置面と、該回路体載置面から突出し且つ前記コネクタ並び方向に前記回路体とのクリアランスを確保して配置される保持用の突出部とを形成し、前記コネクタ押出部には、コネクタ接続方向に弾性を有する弾性部と、該弾性部よりも前記回路体側コネクタに近い側に配置され且つ前記コネクタ側当接部への当接が前記コネクタ並び方向に確保される押出側当接部とを形成することを特徴とする。
【０００８】
請求項２に記載の本発明は、請求項１に記載のコネクタの一括接続構造において、前記突出部には、所定の間隔をあけて前記回路体載置面に対向する載置面対向部と、前記回路体を差し込み可能に開口する回路体差し込み部とを形成することを特徴とする。
【０００９】
請求項３に記載の本発明は、請求項１又は２に記載のコネクタの一括接続構造において、前記回路体における一つの前記端末に対し前記回路体保持部を少なくとも二つ形成するとともに、該二つの回路体保持部を千鳥状に配置することを特徴とする。
【００１０】
請求項４に記載の本発明は、請求項１、２又は３に記載のコネクタの一括接続構造において、前記回路体側コネクタのコネクタ嵌合開始部分には、コネクタ案内用のテーパを形成することを特徴とする。
【００１１】
請求項５に記載の本発明は、請求項３又は４に記載のコネクタの一括接続構造において、前記二つの回路体保持部のうち前記回路体側コネクタに一番近い回路体保持部を前記ガイドフレームの縁部の位置に合わせて配置するとともに、前記一番近い回路体保持部から前記コネクタ接続方向に沿って前記コネクタ押出部を突設することを特徴とする。
【００１２】
請求項６に記載の本発明は、請求項１、２、３又は４に記載のコネクタの一括接続構造において、前記回路体載置面の反対側の面又は前記ガイドフレームの縁部から前記コネクタ接続方向に沿って前記コネクタ押出部を突設することを特徴とする。
【００１３】
請求項７に記載の本発明は、請求項１、２、３、４、５又は６に記載のコネクタの一括接続構造において、前記回路体として扁平形状に形成された扁平接続部材を用いることを特徴とする。
【００１４】
請求項８に記載の本発明は、請求項７に記載のコネクタの一括接続構造において、前記回路体の前記端末には、該端末自体を少なくとも前記コネクタ並び方向に変位可能とする位置ズレ吸収部を形成することを特徴とする。
【００１５】
また、上記課題を解決するためになされた請求項９に記載の本発明のガイドフレームは、回路体の複数の端末にそれぞれ設けられる複数の回路体側コネクタを、複数の機器側コネクタに一括接続するために用いる樹脂製のガイドフレームにおいて、当該ガイドフレームをコネクタ並び方向にのびる形状に形成するとともに、前記回路体を保持する回路体保持部と、前記回路体側コネクタのコネクタ側当接部に当接するコネクタ押出部とを形成し、さらに、前記回路体保持部には、前記回路体を載置するための回路体載置面と、該回路体載置面から突出し且つ前記コネクタ並び方向に前記回路体とのクリアランスを確保して配置される保持用の突出部とを形成し、前記コネクタ押出部には、コネクタ接続方向に弾性を有する弾性部と、該弾性部よりも前記回路体側コネクタに近い側に配置され且つ前記コネクタ側当接部への当接が前記コネクタ並び方向に確保される押出側当接部とを形成することを特徴とする。
【００１６】
また、上記課題を解決するためになされた請求項１０に記載の本発明の回路体保持状態ガイドフレームは、回路体の複数の端末にそれぞれ設けられる複数の回路体側コネクタを、複数の機器側コネクタに一括接続するため、請求項９に記載のガイドフレームに前記回路体を保持してなることを特徴とする。
【００１７】
また、上記課題を解決するためになされた請求項１１に記載の本発明のコネクタの一括接続方法は、請求項１０に記載の回路体保持状態ガイドフレームにすることにより、複数の回路体側コネクタの配置を複数の機器側コネクタの並びに合わせる第一工程と、前記回路体保持状態ガイドフレームを、コネクタ接続方向に移動させて前記複数の回路体側コネクタを前記複数の機器側コネクタに一括接続する第二工程と、接続後に前記回路体保持状態ガイドフレームからガイドフレームを取り外す第三工程とを含むことを特徴とする。
【発明の効果】
【００１８】
請求項１に記載された本発明によれば、ガイドフレームを用いて複数のコネクタの接続を一括して行う構造であり、ガイドフレームには、コネクタ並び方向の位置ズレを吸収しつつ回路体を保持する回路体保持部と、コネクタ接続方向に沿って回路体側コネクタに弾性的に当接するコネクタ押出部とを形成することから、コネクタ並び方向及びコネクタ接続方向の位置ズレが生じた場合であっても、この位置ズレを吸収することができる。従って、本発明によれば、製造上の位置ズレが生じた場合であっても一括接続を容易に行うことができるという効果を奏する。
【００１９】
請求項２に記載された本発明によれば、ガイドフレームの突出部に、所定の間隔をあけて回路体載置面に対向する載置面対向部と、回路体を差し込み可能に開口する回路体差し込み部とを形成することから、突出部を略逆Ｌ字状の形状にすることができる。従って、このような形状にて回路体の外れを防止することができるという効果を奏する。
【００２０】
請求項３に記載された本発明によれば、少なくとも二つの回路体保持部にて回路体を保持することから、一つの場合と比べて保持力を高めることができるという効果を奏する。また、本発明によれば、二つの回路体保持部を回路体の左右両側で対向する位置でなく、千鳥状に配置することから、例えば回路体が多少長くても安定した状態で保持することができるという効果を奏する。さらに、本発明によれば、後述する実施例の欄の説明で分かるようになるが、回路体にＴ字状の部分がある場合、このＴ字状の部分の位置に合わせて回路体保持部を一つ配置すれば、回路体の位置決めや回路体の配置の安定化を図ることができるという効果を奏する。
【００２１】
請求項４に記載された本発明によれば、コネクタ嵌合開始部分にコネクタ案内用のテーパを形成することから、回路体側コネクタを機器側コネクタの正規嵌合位置に案内することができる。従って、本発明によれば、コネクタの一括接続を容易に行うことができるという効果を奏する。尚、コネクタ案内用のテーパと同じ機能を有する部分を機器側コネクタに形成することも有効であるのは勿論である。
【００２２】
請求項５に記載された本発明によれば、回路体側コネクタに一番近い回路体保持部をガイドフレームの縁部の位置に合わせて配置するとともに、この回路体保持部からコネクタ接続方向に沿ってコネクタ押出部を突設することから、回路体保持部と回路体側コネクタとの間にスペースが生じ、このスペースを回路体の撓み許容空間として利用することができるという効果を奏する。これにより、コネクタ接続方向の位置ズレ吸収に寄与することができるという効果を奏する。
【００２３】
請求項６に記載された本発明によれば、回路体載置面の反対側の面から、又は、ガイドフレームの縁部からコネクタ接続方向に沿ってコネクタ押出部を突設することから、回路体側コネクタとガイドフレームの縁部との間において、回路体よりも下にコネクタ押出部が位置することになり、結果、コネクタ押出部が支持部材になって垂れ下がりを防止することができるという効果を奏する。また、本発明によれば、上記請求項５のコネクタ押出部の配置と比べて端末部分の視認性を向上させることができるという効果も奏する。
【００２４】
請求項７に記載された本発明によれば、例えばフレキシブルプリント回路基板（ＦＰＣ）やフレキシブルフラットケーブル（ＦＦＣ）などの扁平形状の電気的な接続部材を回路体として用いることから、薄くした分だけ省スペース化を図ることができるという効果を奏する。
【００２５】
請求項８に記載された本発明によれば、回路体の端末に位置ズレを吸収する部分、すなわち位置ズレ吸収部を形成することから、一括接続を容易に行う際にこの位置ズレ吸収部を寄与させることができるという効果を奏する。また、本発明によれば、変位可能な位置ズレ吸収部の特性を利用することで、回路体の端末をガイドフレームの回路体保持部に保持する際に作業し易くすることができる。すなわち、作業性の向上を図ることができるという効果を奏する。
【００２６】
請求項９に記載された本発明によれば、複数のコネクタの接続を一括して行うためのガイドフレームであり、このガイドフレームには、コネクタ並び方向の位置ズレを吸収しつつ回路体を保持する回路体保持部と、コネクタ接続方向に沿って回路体側コネクタに弾性的に当接するコネクタ押出部とを形成することから、コネクタ並び方向及びコネクタ接続方向の位置ズレが生じた場合であっても、この位置ズレを吸収することができる。従って、本発明のガイドフレームによれば、製造上の位置ズレが生じた場合であっても一括接続を容易に行うことができるという効果を奏する。
【００２７】
請求項１０に記載された本発明によれば、請求項９に記載のガイドフレームに回路体を保持してなる構成のものであることから、請求項９と同様に、製造上の位置ズレが生じた場合であっても一括接続を容易に行うことができるという効果を奏する。
【００２８】
請求項１１に記載された本発明によれば、請求項１０の回路体保持状態ガイドフレームを用いることにより、複数の回路体側コネクタを複数の機器側コネクタに一括接続するためのより良い方法を提供することができるという効果を奏する。
【図面の簡単な説明】
【００２９】
【図１】本発明に係るコネクタの一括接続構造等を示す斜視図、及び要部の拡大図である。
【図２】図１のＦＰＣ保持状態ガイドフレームを構成する回路体側コネクタ付きＦＰＣとガイドフレームの斜視図である。
【図３】図２のガイドフレームの要部拡大図である。
【図４】図２の回路体側コネクタ付きＦＰＣをガイドフレームに保持した状態を示すＦＰＣ保持状態ガイドフレームの斜視図である。
【図５】図４のＦＰＣ保持状態ガイドフレームを用いて回路体側コネクタをソレノイドバルブの機器側コネクタにコネクタ接続する直前の状態を示す斜視図である。
【図６】図５の状態を回路体側コネクタの側から見た拡大斜視図である。
【図７】図６の矢印Ａ方向から見た拡大斜視図である。
【図８】図６の矢印Ｂ方向から見た拡大斜視図である。
【図９】図５の状態から回路体側コネクタと機器側コネクタとをコネクタ接続させた状態を示す斜視図である。
【図１０】図９のコネクタ接続部分の断面図である。
【図１１】図９の状態からガイドフレームを取り外した後の状態を示す斜視図である。
【図１２】ＦＰＣの変形例を示す図であり、（ａ）は回路幅が同じ場合の斜視図、（ｂ）は（ａ）の矢印Ａ方向から見た拡大斜視図である。
【図１３】ＦＰＣの変形例を示す図であり、（ａ）は回路幅が細くなった場合の斜視図、（ｂ）は（ａ）の矢印Ａ方向から見た拡大斜視図である。
【発明を実施するための形態】
【００３０】
本発明に係るコネクタの一括接続構造は、回路体保持部とコネクタ押出部とを設けたガイドフレームを用いて複数の回路体側コネクタを複数の機器側コネクタに一括接続する構造である。回路体保持部は、コネクタ並び方向の位置ズレを吸収しつつ回路体の端末を保持し、コネクタ押出部は、コネクタ接続方向に沿って回路体側コネクタに弾性的に当接する。
【実施例】
【００３１】
以下、図面を参照しながら実施例を説明する。図１は本発明に係るコネクタの一括接続構造等を示す斜視図、及び要部の拡大図である。また、図２は図１のＦＰＣ保持状態ガイドフレームを構成する回路体側コネクタ付きＦＰＣとガイドフレームの斜視図、図３は図２のガイドフレームの要部拡大図、図４は図２の回路体側コネクタ付きＦＰＣをガイドフレームに保持した状態を示すＦＰＣ保持状態ガイドフレームの斜視図である。
【００３２】
以下の説明において、具体的な形状、材料、数値、方向等は、本発明の理解を容易にするための例示であって、用途、目的、仕様等に合わせて適宜変更することができるものとする。
【００３３】
また、以下の説明において、自動車のトランスミッションにおける電子機器等を挙げることにするが、一例であるものとする。尚、図中の矢印Ｐは上下方向、矢印Ｑは左右方向（特許請求の範囲に記載されたコネクタ並び方向に相当）、矢印Ｒは前後方向（特許請求の範囲に記載されたコネクタ接続方向に相当）を示すものとする。
【００３４】
図１において、引用符号１は電子機器としてのソレノイドバルブ（機器）を示す。ソレノイドバルブ１は、所定の間隔をあけて左右方向に並んで配置される。ソレノイドバルブ１は、略円柱状の機器であり、本実施例においては五つ設けられる。この五つのソレノイドバルブ１は、ソレノイド固定部材２の上面に固定される。尚、ソレノイド固定部材２は、特許文献１（先行技術文献の欄を参照）において、自動車のボディパネルに相当するものである。
【００３５】
ソレノイドバルブ１は、内部に図示しない電子部品を有し、外周面３には機器側コネクタ４が設けられる。この機器側コネクタ４は、ソレノイドバルブ１の前端面５の近傍に配設される。ソレノイドバルブ１の後端面６からは、電線７が引き出される。
【００３６】
ソレノイド固定部材２には、一対の位置決め部８が設けられる。この一対の位置決め部８は、五つのソレノイドバルブ１の左右両側になる位置に配置形成される。また、一対の位置決め部８は、ソレノイドバルブ１の前端面５の側に配置形成される。
【００３７】
一対の位置決め部８は、ソレノイド固定部材２の上面から上方に突出する基部９と、この基部９の先端位置に内向きで設けられる膨出部１０と、膨出部１０を切り欠いて形成されるスリット部１１とを有する。スリット部１１は、もう少し具体的に説明すると、後述するガイドフレーム１７のフレーム本体２８の左右両端部３１を案内する部分として（スライドさせる部分として）形成される。スリット部１１には、ガイドフレーム１７のスライド量を規制するストッパ部分（符号省略）が形成される。スリット部１１は、機器側コネクタ４の位置に合わせて配置形成される。
【００３８】
機器側コネクタ４は、絶縁性を有する樹脂製のコネクタハウジング１２と、導電性を有する金属製の端子１３とを備えて構成される。コネクタハウジング１２の内部には、嵌合凹部１４（図１０参照）が形成される。また、コネクタハウジング１２の外部には、係止突起１５（図１０参照）が形成される。端子１３は、この一端がソレノイドバルブ１の内部の図示しない電子部品に接続される。また、端子１３の他端は、嵌合凹部１４に露出して後述するＦＰＣ１９に接続される。
【００３９】
以上のような五つのソレノイドバルブ１の各機器側コネクタ４には、引用符号１６で示す回路体側コネクタ付きＦＰＣが電気的に接続される。この電気的な接続には、ガイドフレーム１７が用いられて一括接続が可能になる。
【００４０】
先ず、回路体側コネクタ付きＦＰＣ１６の構成及び構造について説明し、次に、回路体側コネクタ付きＦＰＣ１６をガイドフレーム１７に保持した状態について（ＦＰＣ保持状態ガイドフレーム１８について）説明をする。そして、電気的な接続についても説明をする。尚、説明は図１〜図４の他に、必要に応じて図５〜図１１も参照する。
【００４１】
図５は図４のＦＰＣ保持状態ガイドフレーム１８（回路体保持状態ガイドフレーム）を用いてコネクタ接続をする直前の状態を示す（後述する回路体側コネクタ２０をソレノイドバルブ１の機器側コネクタ４にコネクタ接続する直前の状態を示す）斜視図である。また、図６は図５の状態を回路体側コネクタ２０の側から見た拡大斜視図、図７は図６の矢印Ａ方向から見た拡大斜視図、図８は図６の矢印Ｂ方向から見た拡大斜視図、図９は図５の状態から回路体側コネクタ２０と機器側コネクタ４とをコネクタ接続させた状態を示す斜視図、図１０は図９のコネクタ接続部分の断面図、図１１は図９の状態からガイドフレーム１７を取り外した後の状態を示す斜視図である。
【００４２】
図２において、回路体側コネクタ付きＦＰＣ１６は、ＦＰＣ１９（回路体、扁平接続部材）と、このＦＰＣ１９の端末に設けられる回路体側コネクタ２０とを有し、これらが所定の数（本実施例では五つ）だけ設けられ、且つ、機器側コネクタ４の位置に合わせて左右方向に並んで配置されたものである。
【００４３】
ＦＰＣ１９は、フレキシブルプリント回路基板と呼ばれ、扁平形状の電気的な接続部材である。扁平形状の接続部材としては、この他、フレキシブルフラットケーブル（ＦＦＣ）などが一般的に知られる。これらは、扁平形状であることから、電線束に比べて薄くなり、その分だけ省スペース化を図ることができるという利点を有する。尚、図中の引用符号２１はＦＰＣ１９が幹線状になった部分（幹線部）を示す。また、引用符号２２は、幹線部２１に対する枝線部を示す。本実施例において、幹線部２１は左右方向にのび、枝線部２２は前後方向にのびる。枝線部２２は、ＦＰＣ１９の端末に相当する部分である。
【００４４】
図２及び図１０において、回路体側コネクタ２０は、絶縁性を有する樹脂製のコネクタハウジング２３を備え、ＦＰＣ１９の回路（図示省略）を機器側コネクタ４の端子１３に接続することができるように形成される。コネクタハウジング２３には、機器側コネクタ４の嵌合凹部１４に挿入される嵌合凸部２４と、機器側コネクタ４の係止突起１５に係止される可撓係止片２５と、ＦＰＣ１９の末端部を固定するＦＰＣ固定部２６と、後述するコネクタ押出部３０が当接するコネクタ側当接部２７とが形成される。ＦＰＣ１９の末端部は、嵌合凸部２４の下面に密着するような状態で固定される。コネクタ側当接部２７は、回路体側コネクタ２０の後部の壁として形成される。
【００４５】
図２及び図３において、ガイドフレーム１７は、樹脂成形品であって、コネクタ並び方向（本実施例では左右方向）にのびるように形成される。また、ガイドフレーム１７は、回路体側コネクタ付きＦＰＣ１６の重みやコネクタ接続の際に容易に撓んでしまわないような剛性を有する部材に形成される。ガイドフレーム１７は、上記の如く、五つのソレノイドバルブ１の各機器側コネクタ４に回路体側コネクタ付きＦＰＣ１６を一括接続するために用いられる。
【００４６】
ガイドフレーム１７は、フレーム本体２８を有する。このフレーム本体２８の上面には、複数（本実施例では１０個）のＦＰＣ保持部２９（回路体保持部）が形成される。また、複数のＦＰＣ保持部２９のうち回路体側コネクタ２０に近い側に配置される五つのＦＰＣ保持部２９には、それぞれコネクタ押出部３０が連続するように形成される。ガイドフレーム１７は、上記の如く、フレーム本体２８にＦＰＣ保持部２９とコネクタ押出部３０とを有する。以下、もう少し詳しく説明をする。
【００４７】
フレーム本体２８は、帯板状の部分に形成される。このようなフレーム本体２８の左右両端部３１（左端部３１、右端部３１）は、一対の位置決め部８のスリット部１１に差し込まれて案内される部分として形成される。
【００４８】
ＦＰＣ保持部２９は、ＦＰＣ１９の端末（枝線部２２）を保持する部分であって、一つのＦＰＣ１９の端末に対して少なくとも二つ設けられる。本実施例においては、二つ設けられる。二つのＦＰＣ保持部２９は、ＦＰＣ１９の端末（枝線部２２）の左右両側で千鳥状になる位置に配置される。二つのＦＰＣ保持部２９のうち、回路体側コネクタ２０に近い側のＦＰＣ保持部２９は、フレーム本体２８の縁部の位置に合わせて配置される。具体的には、前側の縁部３２の位置に合わせて配置される。一方、もう一つのＦＰＣ保持部２９は、フレーム本体２８の後側の縁部３３から所定の間隔をあけて配置される。具体的には、ＦＰＣ１９の枝線部２２と、ＦＰＣ１９の幹線部２１とが交差するＴ字状の部分の近傍に配置される。尚、このＴ字状の部分の位置に合わせて上記もう一つのＦＰＣ保持部２９が配されることで、ＦＰＣ１９の位置決めやＦＰＣ１９の配置の安定化に寄与することができるという効果を奏する。
【００４９】
ＦＰＣ保持部２９は、回路体載置面３４と、突出部３５とを有して図示形状に形成される。回路体載置面３４は、ＦＰＣ１９の端末（枝線部２２）を載置する平坦な面として形成される。突出部３５は、回路体載置面３４から上方に突出する部分として形成される。突出部３５は、前後方向にのびる略リブ状の部分に形成される。突出部３５は、ＦＰＣ１９の端末（枝線部２２）を保持する部分として形成される。このような突出部３５には、載置面対向部３６と、ＦＰＣ差し込み部３７（回路体差し込み部）とが形成される。突出部３５は、載置面対向部３６とＦＰＣ差し込み部３７とにより略逆Ｌ字状の形状に形成される。
【００５０】
突出部３５は、ＦＰＣ１９の端末（枝線部２２）の左又は右の側部に対してクリアランスＣ（図７参照）を確保した状態に配置形成される。すなわち、左右方向の位置ズレを吸収することができるように配置形成される。
【００５１】
載置面対向部３６は、所定の間隔をあけて（枝線部２２の厚みよりも大きな間隔をあけて）回路体載置面３４に対向する保持部分として形成される。ＦＰＣ差し込み部３７は、ＦＰＣ１９の端末（枝線部２２）を差し込み可能にする部分として開口形成される。ＦＰＣ差し込み部３７は、スリット状の部分として形成される。
【００５２】
図２、図３、及び図１０において、コネクタ押出部３０は、正規のコネクタ嵌合位置まで回路体側コネクタ２０を押し出すことができるような部分として形成される。このようなコネクタ押出部３０は、上記の如く、前側の縁部３２の位置に合わせて配置されたＦＰＣ保持部２９（回路体側コネクタ２０に近い側のＦＰＣ保持部２９）に連続するように形成される。コネクタ押出部３０は、回路体側コネクタ２０を押し出すことができるようにするため、可撓弾性（弾性）を有するように形成される（尚、本実施例に限らず、例えばゴムやスポンジ等の弾性部材を貼り付け、これで代替してもよいものとする）。本実施例のコネクタ押出部３０には、連続部３８と、弾性部３９と、押出側当接部４０とが形成される。
【００５３】
弾性部３９は、Ｕ字状で半円筒形の部分に形成される（形状は一例であり、Ｖ字状等であってもよいものとする）。弾性部３９は、コネクタ接続方向に弾性を有し、コネクタ接続方向に均一に撓むような形状に形成される。押出側当接部４０は、回路体側コネクタ２０の後部のコネクタ側当接部２７に当接する部分として形成される。押出側当接部４０は、弾性部３９よりも回路体側コネクタ２０に近い側に配置される。このような押出側当接部４０は、コネクタ側当接部２７への当接がコネクタ並び方向に確保されるような形状に形成される。すなわち、押出側当接部４０は、コネクタ並び方向にのびる形状に形成される。
【００５４】
図２において、回路体側コネクタ付きＦＰＣ１６とガイドフレーム１７とを用意し、この後に回路体側コネクタ付きＦＰＣ１６をガイドフレーム１７に保持すると、図４に示す如く、ＦＰＣ保持状態ガイドフレーム１８が得られる。
【００５５】
尚、上記保持に関し、回路体側コネクタ付きＦＰＣ１６は、ＦＰＣ１９の幹線部２１がガイドフレーム１７の幹線載置部４１に載置される。
【００５６】
ガイドフレーム１７は、図３及び図１０からも分かるように、前側の縁部３２の位置から機器側コネクタ４の側にコネクタ押出部３０が突出することから、回路体側コネクタ付きＦＰＣ１６の保持が完了すると、ＦＰＣ１９の端末（枝線部２２）に設けられた回路体側コネクタ２０が自由端の状態になる。
【００５７】
図５において、ＦＰＣ保持状態ガイドフレーム１８におけるガイドフレーム１７の左右両端部３１を一対の位置決め部８の各スリット部１１に差し込んでスライド移動させると、これに伴って回路体側コネクタ付きＦＰＣ１６の各回路体側コネクタ２０がソレノイドバルブ１の各機器側コネクタ４に向けて真っ直ぐ移動する（図６〜図８参照）。
【００５８】
回路体側コネクタ２０と機器側コネクタ４とのコネクタ嵌合が開始される時（コネクタ接続が開始される時）、回路体側コネクタ２０のコネクタ側当接部２７にコネクタ押出部３０の押出側当接部４０が当接する。従って、コネクタ押出部３０の作用により（弾性部３９の作用により）、回路体側コネクタ２０は、図９及び図１０に示す如く、嵌合完了位置まで（接続完了位置まで）押し出される。以上により、コネクタ嵌合（コネクタ接続）が完了する。コネクタ嵌合（コネクタ接続）は、本実施例において、五カ所で完了する。すなわち、一括接続が完了する。
【００５９】
尚、本実施例では、回路体側コネクタ２０のコネクタ嵌合開始部分にテーパ４２が形成されるとともに、機器側コネクタ４のコネクタ嵌合開始部分にもテーパ４３が形成されることから、回路体側コネクタ２０を機器側コネクタ４の正規嵌合位置に案内することができるのは勿論である。
【００６０】
一括接続が完了した後、ガイドフレーム１７を取り外すと、図１１に示す如くの状態になり、一連の接続作業が完了する。
【００６１】
以上、図１〜図１１を参照しながら説明してきたように、本発明によれば、ガイドフレーム１７を用いて複数のコネクタの接続を一括して行う構造であり、ガイドフレーム１７には、コネクタ並び方向（左右方向）の位置ズレを吸収しつつＦＰＣ１９の端末（枝線部２２）を保持する複数のＦＰＣ保持部２９が形成されることから、また、回路体側コネクタ２０に近い側のＦＰＣ保持部２９には、コネクタ接続方向（前後方向）に沿って回路体側コネクタ２０に弾性的に当接するコネクタ押出部３０が形成されることから、コネクタ並び方向及びコネクタ接続方向の位置ズレが生じた場合であっても、この位置ズレを吸収して一括接続をすることができる。
【００６２】
従って、本発明によれば、製造上の位置ズレが生じた場合であっても一括接続を容易に行うことができるという効果を奏する。
【００６３】
この他、本発明によれば、コネクタ嵌合開始部分にコネクタ案内用のテーパ４２、４３が形成されることから、回路体側コネクタ２０を機器側コネクタ４の正規嵌合位置に案内することができる。
【００６４】
従って、本発明によれば、コネクタの一括接続を容易に行うことができるという効果を奏する。
【００６５】
また、本発明によれば、コネクタ押出部３０が連続するＦＰＣ保持部２９を、ガイドフレーム１７の前側の縁部３２の位置に合わせて配置することから、この縁部３２と回路体側コネクタ２０との間にスペースＳ（図１０参照）が生じ、このスペースＳをＦＰＣ１９の端末（枝線部２２）の撓み許容空間として利用することができる。
【００６６】
従って、上記の配置でコネクタ接続方向（前後方向）の位置ズレ吸収に寄与することができるという効果を奏する。
【００６７】
本発明は本発明の主旨を変えない範囲で種々変更実施可能なことは勿論である。
【００６８】
例えば、上記説明に限らず、回路体載置面３４の反対側の面、又は、前側の縁部３２からコネクタ押出部３０を突出させ、このコネクタ押出部３０の位置ではＦＰＣ１９の端末（枝線部２２）が上、コネクタ押出部３０が下になるような構造を採用してもよいものとする。すなわち、回路体側コネクタ２０をコネクタ押出部３０にて支持するような構造であってもよいものとする。回路体側コネクタ２０の垂れ下がりを懸念するのであれば有効である。
【００６９】
回路体側コネクタ２０を自由端にしつつも垂れ下がりを防止することができることから、コネクタの一括接続を容易に行うことができるという効果を奏する。
【００７０】
この他の変形例としては、図１２及び図１３に示すような例が挙げられる。以下、図１２及び図１３を参照しながらＦＰＣ１９における枝線部２２の変形例について説明をする。図１２は枝線部２２の回路幅が同じになる場合の変形例を示す図であり、図１３は回路幅が細くなる場合の変形例を示す図である。尚、ここでの説明は、図１ないし図１１の例に対して支線部２２の形状が一部異なるだけであるので、特徴部分以外の引用符号は同じものを付して説明を省略するものとする。
【００７１】
図１２及び図１３において、ＦＰＣ１９の端末に相当する部分、すなわち枝線部２２には、本発明の特徴部分のうちの一つである位置ズレ吸収部４４が形成される。この位置ズレ吸収部４４は、少なくとも左右方向に変位が可能な部分（変形が可能な部分）として、好ましくは前後方向にも変位が可能な部分として形成される。別な言い方をすれば、位置ズレが生じた場合にこれを吸収することができるような部分として形成される。位置ズレ吸収部４４は、例えば略Ｓ字状で伸縮自在な形状に形成される（形状は一例であるものとする。位置ズレを吸収することができれば形状は特に限定されないものとする）。位置ズレ吸収部４４は、二つのＦＰＣ保持部２９の間に位置するように配置形成される。
【００７２】
上記構成及び構造において、ＦＰＣ保持状態ガイドフレーム１８をスライド移動させると、このスライド移動に伴って回路体側コネクタ付きＦＰＣ１６の各回路体側コネクタ２０がソレノイドバルブ１の各機器側コネクタ４に向けて真っ直ぐ移動する。回路体側コネクタ２０と機器側コネクタ４とのコネクタ嵌合が開始される時（コネクタ接続が開始される時）、回路体側コネクタ２０にコネクタ押出部３０が当接する。従って、コネクタ押出部３０の作用により、回路体側コネクタ２０は、嵌合完了位置まで（接続完了位置まで）押し出される。以上により、コネクタ嵌合（コネクタ接続）が完了する。
【００７３】
尚、図１２及び図１３の変形例では、機器側コネクタ４のコネクタ嵌合開始部分にテーパ４５が形成される。これにより、回路体側コネクタ２０を機器側コネクタ４の正規嵌合位置に案内することができる。
【００７４】
図１２及び図１３の本発明によれば、コネクタ並び方向（左右方向）及びコネクタ接続方法（前後方向）の位置ズレを吸収することができる部分として位置ズレ吸収部４４を支線部２２に形成することから、コネクタ嵌合に係る一括接続を行う際にこの位置ズレ吸収部４４を寄与させることができる。この他、本発明によれば、変位可能な位置ズレ吸収部４４の特性を利用することで、支線部２２をガイドフレーム１７の二つのＦＰＣ保持部２９に保持する際に作業し易くすることができる。すなわち、作業性の向上を図ることができる。
【符号の説明】
【００７５】
１…ソレノイドバルブ（機器）、  ２…ソレノイド固定部材、  ３…外周面、  ４…機器側コネクタ、  ５…前端面、  ６…後端面、  ７…電線、  ８…位置決め部、  ９…基部、  １０…膨出部、  １１…スリット部、  １２…コネクタハウジング、  １３…端子、  １４…嵌合凹部、  １５…係止突起、  １６…回路体側コネクタ付きＦＰＣ、  １７…ガイドフレーム、  １８…ＦＰＣ保持状態ガイドフレーム（回路体保持状態ガイドフレーム）、  １９…ＦＰＣ（回路体、扁平接続部材）、  ２０…回路体側コネクタ、  ２１…幹線部、  ２２…枝線部（回路体の端末）、  ２３…コネクタハウジング、  ２４…嵌合凸部、  ２５…可撓係止片、  ２６…ＦＰＣ固定部、  ２７…コネクタ側当接部、  ２８…フレーム本体、  ２９…ＦＰＣ保持部（回路体保持部）、  ３０…コネクタ押出部、  ３１…左右両端部、  ３２…前側の縁部（縁部）、  ３３…後側の縁部（縁部）、  ３４…回路体載置面、  ３５…突出部、  ３６…載置面対向部、  ３７…ＦＰＣ差し込み部（回路体差し込み部）、  ３８…連続部、  ３９…弾性部、  ４０…押出側当接部、  ４１…幹線載置部、  ４２、４３…テーパ、  ４４…位置ズレ吸収部、  ４５…テーパ、  Ｓ…スペース、  Ｃ…クリアランス
【図１】
2016103462.tif 000003
【図２】
2016103462.tif 000004
【図３】
2016103462.tif 000005
【図４】
2016103462.tif 000006
【図５】
2016103462.tif 000007
【図６】
2016103462.tif 000008
【図７】
2016103462.tif 000009
【図８】
2016103462.tif 000010
【図９】
2016103462.tif 000011
【図１０】
2016103462.tif 000012
【図１１】
2016103462.tif 000013
【図１２】
2016103462.tif 000014
【図１３】
2016103462.tif 000015